(57)【要約】【課題】印字抜けや印字薄を発生させないで、取引情報の印字を可能とする。【解決手段】表紙又は裏表紙の見返しページ１３にＩＣタグ９を貼付した通帳媒体１において、ＩＣタグ９の厚さと同じ厚さであって、かつ通帳媒体１の印字領域４に合わせた外形とＩＣタグ９の外形に合わせた切り抜き形状の内形を有するスペーサ２１を通帳媒体１の表紙又は裏表紙の見返しページ１３に貼付する。スペーサ２１はダミーページ３２であってもよい。スペーサ２１の外形は印字領域４より広い。【選択図】    図１
2016117231.tif 000002
【特許請求の範囲】
【請求項１】
表紙又は裏表紙にＩＣタグを貼付した通帳類において、
前記ＩＣタグの厚さと同じ厚さであって、かつ前記通帳類の印字領域に合わせた外形と前記ＩＣタグの外形に合わせた切り抜き形状の内形を有するスペーサを前記表紙又は前記裏表紙に貼付することを特徴とする通帳類。
【請求項２】
前記ＩＣタグ及び前記スペーサは前記表紙又は裏表紙の見返しページであることを特徴とする請求項１又は２記載の通帳類。
【請求項３】
前記外形は、前記通帳類のページ領域より狭く、前記通帳類の印字領域より広いことを特徴とする請求項１又は２記載の通帳類。
【請求項４】
前記外形は、前記通帳類のページ領域であることを特徴とする請求項１又は２記載の通帳類。
【発明の詳細な説明】
【技術分野】
【０００１】
本発明は、金融機関等で使用されＩＣタグを貼付した通帳類に関する。
【背景技術】
【０００２】
従来、金融機関等で使用される通帳類に必要な情報を印字するためには、通帳の厚さに適応可能なメディアフォロー方式によるヘッドギャップ自動調整機能を有する通帳用インパクトプリンタ（以下通帳プリンタという）がある。図示しない通帳プリンタは、先ず、オペレータが通帳媒体を通帳プリンタにセットすると、通帳媒体は媒体搬送機構により、印字ヘッドを搭載するキャリッジが前記搬送方向と直交する往復動作（以下スペース動作という）する位置まで搬送される。
【０００３】
図７は通帳プリンタの印字部の構成を示す説明図である。図７は印字部をスペース動作方向からみた構成を示す。通帳プリンタは、搬送された通帳媒体に適正な印字を行うためにヘッドギャップ、即ち印字ヘッドのノーズ先端５４と通帳媒体表面の距離を一定に自動調整する。印字ヘッドにはガイドローラ５５がスペース動作方向に転がるようにノーズ表面５４の側面に搭載されており、ノーズ先端５４とガイドローラ５５の下端の距離が一定に保たれている。更に、ガイドローラ５５の下方には、ローラガイド５６を挟んでプラテン５７が配置され、プラテン５７は図示しないスプリングにより下方から押し付けられている。
【０００４】
この構造により、通帳媒体に印字を行っているときは、ローラガイド５６とプラテン５７の間に図示しない通帳媒体が挟まれた状態となる。ローラガイド５６はステンレス又はプラスチックフィルム製で厚さが均一なため、ヘッドギャップはノーズ先端５４からローラ５５の下端の距離及びローラガイド５６の厚さの和となり、その距離は常に一定に保たれる。従って、通帳媒体のどのページに印字しても、即ち、通帳媒体の厚さが変わってもヘッドギャップは一定に調整される。
【０００５】
特開２００５−６６８７４号公報（特許文献１）には、媒体の表面がガイドローラによって汚染されないようにした記録装置が記載されている。特許文献１によれば、プラテンと、ローラガイドとの間を記録媒体が通過するようにし、印字ヘッドが搭載されるキャリッジに取付けられ、ローラガイドの上部を移動し、プラテン上の記録媒体と印字ヘッドとのギャップを一定にするガイドローラを有するものである。
【０００６】
一方、近年ＩＣタグを用いた情報表示の技術が各分野で利用されるようになってきた。ＩＣタグとはＲＦＩＤ（Radio Frequency Identification）とも呼ばれるものであり、所定の情報が記憶されたＩＣチップを無線アンテナと共に樹脂やガラス等の誘電体材料に埋め込んでタグ（荷札）状に形成した超小型の通信端末である。このようなＩＣタグは、金融機関等で使用される通帳類にも利用され、無線通信によりＩＣチップに記憶された口座情報等の読取り、書込みを行うものである。
【０００７】
図８は従来のＩＣタグ付き通帳への通帳プリンタによる印字動作を示す説明図である。通帳媒体５１には、口座情報を記憶するＩＣタグ５９を表紙又は裏表紙の見返しページ６３のほぼ中央に貼付されている。図８はＩＣタグ付の通帳媒体５１に取引情報を印字する状態を示す。表紙又は裏表紙の見返しページ６３にＩＣタグ５９が貼付された通帳媒体５１が、プラテン５７とローラガイド５６との間に搬送されている。通帳プリンタが印字を行うページは、通帳媒体５１の表紙又は裏表紙の見返しページ６３から一枚捲って現れた印字ページ６２に印字を行う。印字ヘッド５２はキャリッジのスペース動作によって、図中矢印Ｂで示す左右方向に移動しながら印字を行う。図８（ａ）は通帳媒体５１の印字ページ６２の印字中、ＩＣタグ５９の真上に相当する部分を印字している状態を示し、図８（ｂ）、（ｃ）はＩＣタグ５９の真上に相当しない部分を印字している状態を示す。
【先行技術文献】
【特許文献】
【０００８】
【特許文献１】特開２００５−６６８７４号公報
【発明の概要】
【発明が解決しようとする課題】
【０００９】
しかしながら、従来の技術によれば、図８（ｂ）、（ｃ）に示すようにＩＣタグ５９の真上に相当しない部分を印字しているときは、ＩＣタグ５９の外側周囲は上側の印字ページ６２とＩＣタグ５９が貼付してある見返しページ６３との間に空間６４が発生する。これは、ＩＣタグ５９の厚みとローラガイド５６の剛性の影響によるものである。ローラガイド５６の剛性が低い場合又はローラガイド５６がない装置においても、印字ヘッド５２の中央１箇所にガイドローラ５５が実装されている装置は、ＩＣタグ５９の端面の直ぐ外側は前記ガイドローラ５５の曲率の関係で、わずかながら空間６４が発生する。前記空間６４の箇所では、印字ヘッド５２のインパクト力を受けないため、上側のページ６２が沈み込む。その結果、ヘッドギャップが大きく開いたまま印字している状態と同じで、従来のＩＣタグ付き通帳媒体５１は印字抜けや印字薄が発生し、取引情報を印字できないという問題があった。
【００１０】
本発明が解決しようとする課題は、印字抜けや印字薄を発生させないで、取引情報の印字を可能とする通帳類を提供するものである。
【課題を解決するための手段】
【００１１】
上記課題を解決するために本発明に関する通帳類は、表紙又は裏表紙にＩＣタグを貼付した通帳類において、前記ＩＣタグの厚さと同じ厚さであって、かつ前記通帳類の印字領域に合わせた外形と前記ＩＣタグの外形に合わせた切り抜き形状の内形を有するスペーサを前記表紙又は前記裏表紙に貼付することを特徴とするものである。
【発明の効果】
【００１２】
上記構成を有する本発明によれば、ＩＣタグの厚さと同じ厚さであって、かつ通帳類のページの領域に合わせた外形とＩＣタグの外形に合わせた切り抜き形状の内形を有するスペーサを表紙又は裏表紙に貼付することとしたので、通帳プリンタによる取引情報の印字の際に、印字抜けや印字薄を発生させないで、印字を可能とする通帳類を提供することが可能になる。
【図面の簡単な説明】
【００１３】
【図１】第１の実施の形態に関する通帳媒体の外観図である。
【図２】第１の実施の形態に関する通帳媒体の印字領域とスペーサの貼付範囲を示す説明図である。
【図３】第１の実施の形態に関する通帳媒体を印字する通帳プリンタの説明図である。
【図４】第１の実施の形態に関する通帳媒体の印字動作を示す説明図である。
【図５】第２の実施の形態に関する通帳媒体の外観図である。
【図６】第２の実施の形態に関する通帳媒体の印字動作を示す説明図である。
【図７】通帳プリンタの印字部の構成を示す説明図である。
【図８】従来のＩＣタグ付き通帳への通帳プリンタによる印字動作を示す説明図である。
【発明を実施するための形態】
【００１４】
（第１の実施の形態）
以下、本発明の第１の実施の形態について説明する。図１は第１の実施の形態に関する通帳媒体の外観図である。通帳類としての通帳媒体１は表紙又は裏表紙の見返しページ１３にＩＣタグ９が貼付されている。ＩＣタグ９は、見返しページ１３における通帳媒体１の搬送方向Ａに対して幅方向Ｂのほぼ中央に貼付される。図１（ａ）は、ＩＣタグ９が貼付されている通帳媒体１にスペーサ２１を貼付する前を示し、図１（ｂ）は通帳媒体１の見返しページ１３にスペーサ２１を貼付した状態を示す。
【００１５】
ＩＣタグ９は一般的にわずかな凹凸はあるものの約０．１６ｍｍでほぼ均一な厚さである。本実施の形態に関する通帳媒体１にはＩＣタグ９と同じ厚さのスペーサ２１が見返しページ１３に貼付される。スペーサ２１の形状は略コ字状であり、ＩＣタグ９の外形に合わせた切り抜き形状の内形を有する。スペーサ２１の内形とＩＣタグ９の外形との間隔はｄ１＝１ｍｍ以内とする。スペーサ２１を貼付する範囲は、次に説明する通帳媒体１の印字領域と関係する。
【００１６】
図２は第１の実施の形態に関する通帳媒体の印字領域とスペーサの貼付範囲を示す説明図である。図２は通帳媒体１の見返しページ１３を示す図１（ｂ）の状態から、通帳媒体１のページを一枚捲ると印字ページ１２の印字領域４が現れることを示す。そして、印字ページ１２の印字領域４の一枚下にＩＣタグ９とスペーサ２１があることを破線で示す。従って、スペーサ２１の外形は、通帳媒体１の印字ページ１２の印字領域４に合わせた外形である。より詳細には、スペーサ２１の外形は、印字ページ１２の印字領域４に対して通帳媒体１の搬送方向Ａの左右両側がｄ３＝１ｍｍ以上大きく、また、搬送方向Ａの下流側もｄ３＝１ｍｍ以上大きくする。即ち、スペーサ２１の外形は、通帳媒体１の印字領域４より広く、印字ページ１２のページ領域全体より狭い。
また、搬送方向Ａの上流側は、ローラガイド６と印字ヘッド２のピンの位置を考慮してｄ２＝２ｍｍ以上大きくする。
【００１７】
なお、印字領域４とは、図２に示すように通帳媒体１の見返しページ１３から通帳媒体１を一枚捲って現れた印字ページ１２であって取引情報が印字可能な領域を意味したが、これに限らない。即ち、印字領域４とは、一枚捲って現れた印字ページ１２のみならず、通帳媒体１全体における取引情報が印字可能な領域を意味する。
【００１８】
また、取引情報は通帳媒体１の所定の印字ページ例えば印字ページ１２に印字されるものとし、ＩＣタグ９を貼付した表紙又は裏表紙の見返しページ１３には取引情報は印字しないものとする。
【００１９】
また、スペーサ２１はキャリッジ３の走行でガイドローラ５が転がるとき及び印字ヘッド２のインパクト力で破損又は曲り、潰れ、歪み等の塑性変形を起こさず、かつ比較的安価なＰＥＴ材質の凹凸のないプラスチックシートに薄い両面粘着テープを貼り付けたものである。
【００２０】
前述の通り、スペーサ２１の内形とＩＣタグ９外形との隙間はｄ１＝１ｍｍ以内である。印字ページ１２におけるスペーサ２１とＩＣタグ９との隙間に相当する位置に印字を行っても、印字ヘッド２のインパクト力で沈まないようにする。ＩＣタグ９表面とスペーサ２１表面が水平で段差がない状態にすれば、結果として前記印字ページ１２も水平に保たれる。
【００２１】
図３は第１の実施の形態に関する通帳媒体を印字する通帳プリンタの説明図である。通帳プリンタ１０は、オペレータが所定の位置にセットした通帳媒体１を搬送する図示しない媒体搬送機構を有する。媒体搬送機構は、印字ヘッド２を搭載するキャリッジ３が矢印Ｂで示す方向に往復動作（以下スペース動作という）する位置まで通帳媒体１を搬送する。ここで、通帳媒体１が搬送されるときは、印字ヘッド２が邪魔にならないようにキャリッジ３が媒体搬送範囲の外側に退避する。
【００２２】
通帳媒体１はプラテン７とローラガイド６の間に搬送される。プラテン７は、搬送方向の左右両端に設けられたスプリング８により常に上方へ付勢されている。ローラガイド６の上方にはガイドローラ５を介して印字ヘッド２が配設される。ガイドローラ５はスペース動作で矢印Ｂ方向に転がるように印字ヘッド２の側面に搭載されている。そして、印字ヘッド２はキャリッジ３に搭載されている。
【００２３】
キャリッジ３は幅方向に設けられたキャリッジシャフト３−１に支持され、スペース動作を行う。キャリッジ３のスペース動作により印字ヘッド２は、印字ページ１２内を移動し、ガイドローラ５の作用によって所定のヘッドギャップに維持されながら印字動作を行う。
【００２４】
なお、ローラガイド６の機能は、印字に際してのスペース動作において、通帳媒体１の外側から通帳媒体１上にガイドローラ５が回転し、キャリッジ３が走行する際、端面の段差の衝突で過負荷にならないようにスロープの役割を果たしている。
【００２５】
図４は第１の実施の形態に関する通帳媒体の印字動作を示す説明図である。図示しない媒体搬送機構により通帳媒体１が印字位置に搬送されると、キャリッジ３がスペース動作を開始する。印字ヘッド２は、印字領域４の外からローラガイド６をスロープにして通帳媒体１の端面を通過し、その後前記印字領域４に入る。そして、印字ヘッド２はスペーサ２１、ＩＣタグ９及び再度スペーサ２１の順に下敷きにして、上側に位置する印字ページ１２にヘッドギャップ一定のままでキャリッジ３が走行し印字を行う。また、スペーサ２１とＩＣタグ９の接続部の隙間も小さく、かつスペーサ２１は印字範囲を網羅して貼り付けられているためヘッドギャップの変化がない状態を維持することができる。印字が終わり更にキャリッジ３が走行すると、印字ヘッド２は、ローラガイド６を再度スロープにして通帳媒体１の端面を通過し、一行分のスペース動作を完了する。引き続き複数行の印字データがある場合は、図示しない媒体搬送機構が通帳媒体１を搬送し、同様の印字動作を繰り返す。
【００２６】
以上のように第１の実施の形態によれば、メディアフォロー方式でヘッドギャップの自動調整を行う通帳プリンタ１０において、スペーサ２１の貼付けにより印字ページ１２の印字領域４内でＩＣタグ９の厚みによる段差の影響をなくすことができる。これにより、通帳媒体１における印字を行う印字ページ１２についてインパクト力による沈み込みがなく、その結果ヘッドギャップが一定になり、印字抜け及び印字薄を防止する効果が得られる。
【００２７】
（第２の実施の形態）
図５は第２の実施の形態に関する通帳媒体の外観図である。通帳類としての通帳媒体３１は表紙又は裏表紙の見返しページ１３にＩＣタグ９が貼付されている。ＩＣタグ９は、見返しページ１３における通帳媒体３１の搬送方向Ａに対して幅方向Ｂのほぼ中央に貼付される。前記第１の実施の形態がスペーサ２１を貼付したのに対し、第２の実施の形態ではスペーサとしてのダミーページ３２を貼付するものである。
【００２８】
図５（ａ）は、ＩＣタグ９が貼付されている通帳媒体３１にスペーサとしてのダミーページ３２を貼付する前を示し、図５（ｂ）は通帳媒体３１の見返しページ１３にダミーページ３２を貼付した状態を示す。本実施の形態に関する通帳媒体３１のダミーページ３２は、ＩＣタグ９と同じ厚さ０．１６ｍｍに相当する連量１１０Ｋｇの媒体を素材とし、通帳媒体３１の見返しページ１３に貼付される。
【００２９】
スペーサとしてのダミーページ３２の形状は略コ字状であり、ＩＣタグ９の外形に合わせた切り抜き形状の内形を有する。ダミーページ３２の内形とＩＣタグ９外形との間隔はｄ１＝１ｍｍ以内とする。ダミーページ３２を貼付する範囲、即ちダミーページの外形は、通帳媒体３１の他のページの外形と同じである。即ち、通帳媒体３１のページ領域と同じである。なお、第２の実施の形態に関する通帳媒体３１に印字する通帳プリンタ１０の構成は前記図３で説明した通帳プリンタ１０と同じであるので説明を省略する。
【００３０】
図６は第２の実施の形態に関する通帳媒体の印字動作を示す説明図である。印字位置に通帳媒体３１が搬送されると、キャリッジ３はスペース動作を開始する。印字ヘッド２は、印字領域４の外からローラガイド６をスロープにして通帳媒体３１の端面を通過し、その後印字領域４に入る。その後、印字ヘッド２はダミーページ３２、ＩＣタグ９及び再度ダミーページ３２の順に下敷きにして、上側に位置する印字ページ１２にヘッドギャップ一定のままでキャリッジ３が走行し印字を行う。また、ダミーページ３２とＩＣタグ９の接続部の隙間も小さく、かつダミーページ３２は印字範囲を網羅して貼り付けてられているためヘッドギャップの変化がない状態を維持することができる。印字が終わり更にキャリッジ３が走行すると、印字ヘッド２はローラガイド６を再度スロープにして通帳媒体３１の端面を通過し、スペース動作を完了する。引き続き複数行の印字データがある場合は、図示しない媒体搬送機構が通帳媒体３１を搬送し、同様の印字動作を繰り返す。
【００３１】
以上のように第２の実施の形態によれば、メディアフォロー方式でヘッドギャップの自動調整を行う通帳プリンタ１０において、ダミーページ３２の貼付けにより、より安価な方法で印字ページ１２の印字領域４内でＩＣタグ９の厚みによる段差の影響をなくすことができる。これにより、通帳媒体３１における印字を行う印字ページ１２についてインパクト力による沈み込みがなく、その結果ヘッドギャップが一定になり、印字抜け及び印字薄を防止する効果が得られる。
【００３２】
第１及び第２の実施の形態では、ＩＣタグ９が貼付される位置が、通帳媒体１又は３１の表紙又は裏表紙の見返しページ１３の幅方向Ｂのほぼ中央に貼付される例を説明したが、これに限らない。即ち、ＩＣタグ９が表紙又は裏表紙の見返しページ１３の縦横方向中央に貼付される場合、又は見返しページ１３のコーナ（角）付近に貼付される場合においても、ＩＣタグの外形に合わせた切り抜き形状の内形を有するスペーサであれば、本発明は適用可能である。
【００３３】
第１及び第２の実施の形態では、インパクトプリンタを適用した例を説明したが、サーマル方式又はインクジェット方式の通帳プリンタにおいても、ＩＣタグ９の段差をなくしヘッドギャップの安定化をはかることは印字品位確保に対して重要であり、本発明は適用可能である。
【００３４】
また、本発明はＩＣタグ９を対象にしているが、印字ヘッド２のヘッドギャップ誤差に対応する能力（±０．０５ｍｍ以内）を超えた厚さの磁気ストライプやその他シール類が貼ってある通帳媒体及び冊子媒体にも本発明は適用可能である。
【符号の説明】
【００３５】
１      通帳媒体
２      印字ヘッド
３      キャリッジ
４      印字領域
５      ガイドローラ
６      ローラガイド
７      プラテン
９      ＩＣタグ
１０    通帳プリンタ
１２    印字ページ
１３    見返しページ
２１    スペーサ
３１    通帳媒体
３２    ダミーページ
Ａ      通帳媒体の搬送方向
Ｂ      幅方向
【図１】
2016117231.tif 000003
【図２】
2016117231.tif 000004
【図３】
2016117231.tif 000005
【図４】
2016117231.tif 000006
【図５】
2016117231.tif 000007
【図６】
2016117231.tif 000008
【図７】
2016117231.tif 000009
【図８】
2016117231.tif 000010